(57)【要約】  本発明の液晶表示装置は、液晶層に電圧が印加されていないときの液晶層のリタデーションが、光学補償フィルムの総リタデーションに主波長の自然数倍を加えた値の±（主波長の１割の値）の範囲内である。したがって、電圧無印加時の透過率を抑制することができる。
2009004869.tif 000002
【特許請求の範囲】
【請求項１】
相互に対向して配置された第１基板及び第２基板と、
前記第１基板と前記第２基板との間に挟持された液晶層と、
前記第１基板及び第２基板の前記液晶層に面する面の反対面に各々設けられた偏光板と、
前記第１基板及び第２基板のうちの少なくとも一方の基板における基板と前記偏光板との間に設けられた、少なくとも一枚の光学補償フィルムとが備えられ、
前記液晶層に含まれる液晶分子は、前記液晶層に電圧が印加されていない状態でスプレイ配向しており、前記液晶層に電圧が印加されることによって、前記スプレイ配向からベンド配向に配向転移するＯＣＢモードの液晶表示装置であって、
前記液晶層に電圧が印加されていないときの液晶層のリタデーションが、前記光学補償フィルムの総リタデーションに主波長の自然数倍を加えた値の±（前記主波長の１割の値）の範囲内であることを特徴とする液晶表示装置。
【請求項２】
前記光学補償フィルムの総リタデーションが、液晶層に表示時におけるオン電圧が印加されたときの液晶層のリタデーションの±１０％の範囲内であることを特徴とする請求項１に記載の液晶表示装置。
【請求項３】
前記第１基板及び第２基板の内の少なくとも一方の基板には、少なくとも緑色フィルターが備えられたカラーフィルターが設けられており、
前記緑色フィルターに対応した領域の前記液晶層において、当該液晶層に電圧が印加されていないときの液晶層のリタデーションが、前記光学補償フィルムの総リタデーションに前記緑色フィルターを透過する光の主波長の自然数倍を加えた値の±（前記緑色フィルターを透過する光の主波長の１割の値）の範囲内であることを特徴とする請求項１又は２に記載の液晶表示装置。
【請求項４】
前記第１基板及び第２基板の内の少なくとも一方の基板には、赤色フィルターと緑色フィルターと青色フィルターとが備えられたカラーフィルターが設けられており、
前記赤色フィルターに対応した領域の前記液晶層において、当該液晶層に電圧が印加されていないときの液晶層のリタデーションが、前記光学補償フィルムの総リタデーションに前記赤色フィルターを透過する光の主波長の自然数倍を加えた値の±（前記赤色フィルターを透過する光の主波長の１割の値）の範囲内であり、
前記緑色フィルターに対応した領域の前記液晶層において、当該液晶層に電圧が印加されていないときの液晶層のリタデーションが、前記光学補償フィルムの総リタデーションに前記緑色フィルターを透過する光の主波長の自然数倍を加えた値の±（前記緑色フィルターを透過する光の主波長の１割の値）の範囲内であり、
前記青色フィルターに対応した領域の前記液晶層において、当該液晶層に電圧が印加されていないときの液晶層のリタデーションが、前記光学補償フィルムの総リタデーションに前記青色フィルターを透過する光の主波長の自然数倍を加えた値の±（前記青色フィルターを透過する光の主波長の１割）の範囲内であることを特徴とする請求項１又は２に記載の液晶表示装置。
【請求項５】
前記赤色フィルターに対応した領域の液晶層と、前記緑色フィルターに対応した領域の液晶層と、前記青色フィルターに対応した領域の液晶層とにおいて、液晶層の厚みが異なることを特徴とする請求項４に記載の液晶表示装置。
【請求項６】
前記第１基板及び第２基板の内の少なくとも一方の基板には、赤色フィルターと緑色フィルターと青色フィルターとが備えられたカラーフィルターが設けられており、
前記緑色フィルターに対応した領域の液晶層の厚さは、当該液晶層に電圧が印加されていないときの液晶層のリタデーションが、前記光学補償フィルムの総リタデーションに前記緑色フィルターを透過する光の主波長の自然数倍を加えた値の±（前記緑色フィルターを透過する光の主波長の１割の値）の範囲内となるように設定されており、
前記赤色フィルターに対応した領域の前記液晶層の厚さは、当該液晶層に表示時におけるオン電圧が印加されたとき当該液晶層の透過率が極値となる液晶層の厚さと、前記緑色フィルターに対応した領域の液晶層の厚さとの差の２倍の値を、前記緑色フィルターに対応した領域の液晶層の厚さに加えた値の±（前記赤色フィルターを透過する光の主波長の１割の値）の範囲内であり、
前記青色フィルターに対応した領域の前記液晶層の厚さは、当該液晶層に表示時におけるオン電圧が印加されたとき当該液晶層の透過率が極値となる液晶層の厚さと、前記緑色フィルターに対応した領域の液晶層の厚さとの差の２倍の値を、前記緑色フィルターに対応した領域の液晶層の厚さから減じた値の±（前記青色フィルターを透過する光の主波長の１割の値）の範囲内であることを特徴とする請求項１又は２に記載の液晶表示装置。
【請求項７】
前記各々の偏光板が、互いにその光軸が直交するように設けられていることを特徴とする請求項１又は２に記載の液晶表示装置。
【請求項８】
前記赤色フィルターに対応した領域の液晶層と、前記緑色フィルターに対応した領域の液晶層と、前記青色フィルターに対応した領域の液晶層とによって、１つの表示単位を構成していることを特徴とする請求項４又は６に記載の液晶表示装置。
【請求項９】
前記主波長が、５４２ｎｍ±１０％の範囲内であることを特徴とする請求項１に記載の液晶表示装置。
【請求項１０】
前記緑色フィルターを透過する光の主波長が、５４２ｎｍ±１０％の範囲内であることを特徴とする請求項３、４又は６に記載の液晶表示装置。
【請求項１１】
前記赤色フィルターを透過する光の主波長が、６０９ｎｍ±１０％の範囲内であることを特徴とする請求項４又は６に記載の液晶表示装置。
【請求項１２】
前記青色フィルターを透過する光の主波長が、５０６ｎｍ±１０％の範囲内であることを特徴とする請求項４又は６のに記載の液晶表示装置。
【発明の詳細な説明】
【技術分野】
【０００１】
本発明は、液晶表示装置に関する。特には、ＯＣＢモード（Ｏｐｔｉｃａｌｌｙ  Ｓｅｌｆ−Ｃｏｍｐｅｎｓａｔｅｄ  Ｂｉｒｅｆｒｉｎｇｅｎｃｅ  ｍｏｄｅ）を用いた液晶表示装置に関する。
【背景技術】
【０００２】
従来から、ＣＲＴ（Ｃａｔｈｏｄｅ  Ｒａｙ  Ｔｕｂｅ）に比べて薄くて軽量であり、低電圧で駆動できて消費電力が小さいという利点を有する液晶表示装置が、テレビ、ノート型ＰＣ（Ｐｅｒｓｏｎａｌ  Ｃｏｍｐｕｔｅｒ）、デスクトップ型ＰＣ、ＰＤＡ（Ｐｅｒｓｏｎａｌ  Ｄｉｇｉｔａｌ  Ａｓｓｉｓｔａｎｔ：携帯端末）及び携帯電話など、種々の電子機器に使用されている。【０００３】
特にＴＦＴ（Ｔｈｉｎ  Ｆｉｌｍ  Ｔｒａｎｓｉｓｔｅｒ）素子が用いられた液晶表示装置は、すべての画素が各々ＴＦＴ素子を通じて駆動されるため、高い表示品位を実現する。【０００４】
一方、テレビ受像機等で、液晶表示装置によって動画表示を行うことが急速に普及しつつあり、液晶表示装置における液晶表示パネルの応答速度をより高速にし、良好な動画表示を実現することが必要となってきている。【０００５】
そこで、最近特に注目されているのがＯＣＢモードを用いた液晶表示装置である。【０００６】
（ＯＣＢパネルの構成）
前記ＯＣＢモードが用いられた液晶表示装置は、液晶分子が、該液晶分子を平行かつ同一方向に配向させるような配向処理の施された２枚の基板間によって挟持された構成を有している。そして、前記各々の基板表面には、位相差板が設けられ、さらに偏光板がクロスニコルになるよう配置されている。また、位相差板は主軸がハイブリッド配列した負の位相差板などが用いられる。【０００７】
図１６及び図１７に基づいて、ＯＣＢモードに用いられる液晶表示パネル１の構成と液晶分子の配向について、具体的に説明する。図１６及び図１７は、ＯＣＢモードを用いた液晶表示装置１の概略構成を模式的に示す断面図であり、図１６は電圧無印加時における液晶分子５２の配向状態を示し、図１７は電圧印加時における液晶分子５２の配向状態を示している。【０００８】
前記液晶表示装置１における液晶表示パネル５は、図１６及び図１７に示すように、第１ガラス基板１１にＴＦＴ（Ｔｈｉｎ  Ｆｉｌｍ  Ｔｒａｎｓｉｓｔｏｒ）素子などを含む配線層１３、絶縁層１５、画素電極１７及び第１配向膜１９が設けられてなるＴＦＴ基板（アクティブマトリクス基板）としての第１基板１０と、第２ガラス基板２１にカラーフィルター２３、対向電極２７及び第２配向膜２９が設けられてなる対向基板としての第２基板２０とを備える。そして、液晶分子５２を含む液晶層５０が、この第１基板１０と第２基板２０とによって挟持された構造を有している。【０００９】
さらに、前記第１ガラス基板１１の前記配線層１３が設けられた面の反対面には、第１光学補償フィルム（位相差板）４１と第１偏光板４３とが設けられ、他方前記第２ガラス基板２１の前記カラーフィルター２３が設けられた面の反対面には、第２光学補償フィルム（位相差板）４５と第２偏光板４７とが設けられている。【００１０】
また、前記液晶表示パネル５の背面には、バックライト７０が設けられている。【００１１】
より詳しくは、前記第１配向膜１９及び第２配向膜２９には、ラビングによる配向処理（ラビング配向処理）が施されている。この配向処理は、以下に述べるように、液晶分子５２が電圧無印加時にはスプレイ配向し、他方電圧印加時にはベンド配向するように、２枚の向かいあった基板（ＴＦＴ基板と対向基板）の表面を同じ方向にラビングすることによって行われている。【００１２】
また、前記両基板の表面に各々貼付された偏光板（第１偏光板４３・第２偏光板４７）は、各基板表面の液晶分子５２の配向方向に対して、言い換えると前記ラビング配向処理の方向に対して、偏光板の光軸が４５度及び１３５度方向（クロスニコル）となるように配置されている。【００１３】
また、前記液晶層５０を構成する液晶分子５２は、一般にその誘電率異方性が正である液晶分子５２が用いられる。ここで、前記誘電異方性が正である液晶分子５２とは、液晶分子５２に電圧が印加された際、液晶分子５２の長軸方向が、電界に対して平行になるように配向する性質を有する液晶分子５２を意味する。【００１４】
また、前記液晶表示装置１においては、液晶層５０をアクティブマトリックス駆動するためにＴＦＴ素子が設けられているが、このＴＦＴ素子は各画素に設けられるとともに、その各ＴＦＴ素子には、第１ガラス基板に設けられた図示しないゲートバスライン、ソースバスラインが接続されている。【００１５】
また、前記第１ガラス基板１１と第２ガラス基板２１とは、図示しない球状スペーサや柱スペーサによって所望の間隔を保って貼合されている。【００１６】
（液晶分子の配向）
つぎにＯＣＢモードにおける液晶分子５２の配向について具体的に説明する。ＯＣＢモードを用いた液晶表示装置１において液晶分子５２は、電圧が印加されていない状態では、図１６に示すようなスプレイ配向をしており、電圧が印加されると、図１７に示すようなベンド配向に転移（スプレイ−ベンド転移）する。そして、このベンド配向の状態で、液晶分子５２の傾斜角度を変化させることによって表示が行われる。【００１７】
より具体的には、注入された直後の液晶分子５２は、図１６に示すように、第１基板１０にほぼ平行なスプレイ配向（初期配向）している。そして、このスプレイ配向した液晶分子５２のベンド配向への転移は、一般に液晶分子５２に電圧を印加することによって行われる。すなわち、スプレイ配向した液晶分子５２に例えば２５Ｖ等の比較的高い電圧を印加すると、ベンド配向への配向転移が生じ、表示面内の液晶分子５２は、順次、図１７に示すベンド配向に変化する。【００１８】
そして、前述のように、ＯＣＢモードの液晶表示装置１では、実際の表示はベンド配向状態で行われるので、液晶表示装置１の電源がオンされる毎に前記スプレイ−ベンド転移が行われる必要がある。【００１９】
（実際の表示）
上述の通り、実際の表示は、前記スプレイ−ベンド転移が完了した後、すなわちベンド配向の状態で行われる。具体的には、例えば、実際の表示は、次のようにして行われる。【００２０】
すなわち、ベンド配向している液晶分子５２に通常の表示用の電圧（表示電圧）におけるオン電圧が印加されると、液晶分子５２は、表示電圧におけるオフ電圧が印加されているときに比べ、より前記両基板に対して垂直な方向に配向しようとする。言い換えると、液晶分子５２の角度が両基板に対してより垂直に近くなろうとする。【００２１】
そして、いずれもベンド配向した状態のなかでの、上記液晶分子５２の角度の変化によって、白黒の表示を行っている。【００２２】
なお、当該液晶表示装置を駆動するには、一定の範囲の電圧を液晶分子に印加する必要がある。そして、前記液晶表示装置がＯＣＢモードである場合には、液晶分子をスプレイ配向からベンド配向に転移させるために、非常に高い電圧、例えば２５Ｖ程度の電圧を最初に印加する手段が、一般に講じられる。【００２３】
そして、このような高い電圧を除いた、表示に使用される電圧範囲のうち最も低い電圧をオフ電圧、最も高い電圧をオン電圧とする。そして、ノーマリーホワイトの場合はオフ電圧で白が表示され、オン電圧では黒が表示される。【００２４】
（光学補償フィルム）
そして、ＯＣＢモードの液晶表示装置１では、一般に光学補償フィルムが用いられる。【００２５】
光学補償フィルムが用いられる１つの目的は、広い視野角を得るためである。具体的には、例えば特許文献１に記載があるように、ベンド配向のセルのＸＺ面以外の２平面から生じる位相差を位相差補償フィルム（光学補償フィルム）によって補正し、前記２平面から生じる位相差を０にすると言うものである。ここで、Ｘ・Ｙ・Ｚ軸は、ＸＹ面が液晶表示装置の表示面となり、Ｚ軸が表示面に対して垂直な方向となるように定義されている。【００２６】
また光学補償フィルムが用いられる他の目的は、例えばノーマリーホワイト方式において、黒表示の品位を向上させるためである。以下説明する。【００２７】
（残留リタデーション）
例えば、ノーマリーホワイト方式において黒を表示する際、前記オン電圧の印加によって、バルク（基板から離れた領域）の液晶分子５２は前記基板に対して垂直に配向しやすいのに対して、基板表面近傍の液晶分子５２、詳しくは、各配向膜（第１配向膜１９、第２配向膜２９）付近の液晶分子５２は、前記配向膜からの配向規制力を受けるため垂直に配向しにくい。【００２８】
すなわち、基板表面の液晶分子５２は、配向膜に接することによって一定のプレチルト角を有するので、電圧を印加しても基板近傍の液晶分子のダイレクタには基板と平行な方向の成分が残存する。【００２９】
その結果、液晶層５０に前記オン電圧が印加されても、液晶層５０全体のリタデーションは完全にはなくならない。前記基板と平行な方向のダイレクタ成分を有する液晶分子によるリタデーションが残存（残留リタデーション）するためである。【００３０】
そして、前記残留リタデーションが存在すると、前記クロスニコルに配置された偏光板（第１偏光板４３・第２偏光板４７）のみでは、光漏れが生じ、十分な黒表示を得ることができない。【００３１】
そこで、前記残留リタデーションを打ち消すために光学補償フィルムを用いる技術が提案されている。例えば、特許文献２には、黒表示時に光漏れを抑制する方法として、光学補償フィルムを挿入して光を補償する方法について記載されている。【００３２】
この光学補償フィルムを用いる方法では、例えば、偏光板と液晶表示パネルの間に、その遅相軸が液晶の配向方向と垂直方向になるように光学補償フィルムを配置して、液晶層のリタデーションを相殺し黒表示を実現している。すなわち、光学補償フィルムを用いることによって、黒表示時に、液晶層のリタデーションと位相差層（光学補償フィルム）のリタデーションとの総和をほぼ０にし、光漏れを低減させている。【００３３】
なお、上記説明では、高電圧印加時に黒、低電圧印加時に白となるノーマリーホワイト方式（ＮＷ方式と呼ぶ）を前提として説明したが、偏光板・光学補償フィルムの設計を変更することによって、高電圧印加時に白、低電圧印加時に黒となるノーマリーブラック方式（ＮＢ方式）とすることもできる。【００３４】
さらに、特許文献３には、正面コントラストを向上させることを目的として、液晶表示パネルの前面に用いられる光学補償フィルムのリタデーションと、液晶表示パネルの裏面に用いられる光学補償フィルムのリタデーションとの値を調整する技術が記載されている。
【特許文献１】日本国公開特許公報「特開平９−２３０３３２号公報（公開日：１９９７年９月５日）」
【特許文献２】日本国公開特許公報「特開２００２−３５７８２７号公報（公開日：２００２年１２月１３日）」
【特許文献３】日本国公開特許公報「特開２００３−１５６７４３号公報（公開日：２００３年５月３０日）」
【発明の開示】
【００３５】
しかしながら、前記従来の構成では、不良画素の透過率について考慮がなされていないため、不良画素が目立ちやすいという問題点があった。
【００３６】
すなわち、例えばＴＦＴ（Ｔｈｉｎ  Ｆｉｌｍ  Ｔｒａｎｓｉｓｔｏｒ）素子が画素のスイッチング素子として用いられた液晶表示装置の場合には、１つのＴＦＴ素子の不良、又は、画素における電極の上下短絡によって１つの画素を全く駆動できなくなる。そして、このような画素は、不良画素として目立つ場合があった。以下、説明する。
【００３７】
一般に液晶表示装置は、少なくとも数万個、昨今の大型液晶表示装置では一千万個程度の画素を有している。そして、その各々の画素にスイッチング素子としてのＴＦＴ素子が設けられているＴＦＴ液晶表示装置では、１つの液晶表示装置に設けられるＴＦＴ素子の数も、前記の画素と同じになる。
【００３８】
そして、ＴＦＴ素子の数が上記の通り膨大な数となると、１つの液晶表示装置に数個のＴＦＴ素子不良、引いてはＴＦＴ素子不良画素が生じる場合がある。
【００３９】
また、ＴＦＴ素子が正常であっても、異物等の混入などによって上下基板が電気的に短絡する場合がある。
【００４０】
そして、ＴＦＴ素子が不良（ＴＦＴ素子不良）である画素（ＴＦＴ素子不良画素）、又は、上下基板が短絡（上下短絡）した画素（短絡画素）の液晶分子には電圧を印加することができない。
【００４１】
その結果、液晶表示装置がノーマリーホワイト（ＮＷ）方式である場合には、前記ＴＦＴ素子不良画素や短絡画素は、液晶分子に電圧が印加されていないために、輝点として固定される。よって、全画面黒表示時に特に、輝点不良として認識されやすい。
【００４２】
そして、この輝点不良が、例えば数百万個に１個又は数個の不良であったとしても、全体が黒い中に１点でも輝点があれば液晶表示装置の観者は、この輝点不良を容易に認識できる場合が多い、
一方、液晶表示装置がノーマリーブラック（ＮＷ）方式である場合には、前記ＴＦＴ素子不良画素や短絡画素は、黒点として固定される。よって、全画面白表示時に特に、黒点不良として認識される。
【００４３】
そして、前記ノーマリーホワイト方式における輝点程ではないにしろ、全体が白の中に小さな黒点がある場合、液晶表示装置の観者は、この黒点不良を認識しやすい。
【００４４】
上記不良に関し、ＯＣＢモードでは、ノーマリーホワイト方式である場合はもちろんのこと、ノーマリーブラック方式であっても、上記ＴＦＴ素子不良画素や短絡画素を表示上目立たなくすること困難であった。
【００４５】
（印加電圧と透過率）
以下、図１８を用いて、ＯＣＢモードにおける印加電圧と透過率との関係について、より具体的に説明する。図１８は、電圧印加時にベンド配向する同じ液晶表示パネルに、異なる光学補償フィルムを貼付した場合の電圧−透過率特性の一例である。ここで、透過率と輝度（Ｌｕｍｉｎａｎｃｅ（ａ．ｕ．））とはパラレルの関係にある。すなわち、光学補償フィルムを異ならせることによって作成された、ノーマリーホワイト方式の液晶表示装置と、ノーマリーブラック方式の液晶表示装置とについて、その光学特性を示している。
【００４６】
なお、図１８の横軸は、液晶層への印加電圧の大きさを示し、縦軸は、透過率を示している。また、図１８中の丸印はノーマリーホワイト方式における透過率を示し、他方三角印はノーマリーブラック方式における透過率を示している。
【００４７】
図１８に示すように、同じ液晶表示パネルを用いて、ノーマリーホワイト方式と、ノーマリーブラック方式との２つの方式を両方実現することができる。すなわち、光学補償フィルムや偏光板の貼合角度を変えることによって、同じ液晶表示パネルを、ノーマリーホワイト方式と、ノーマリーブラック方式との２通りに用いることができる。
【００４８】
また、黒輝度のセル厚依存性を示す図１９に示すように、ノーマリーホワイト方式においても、ノーマリーブラック方式においてもほぼ同様の黒表示を行うことができる。
【００４９】
そして、ノーマリーホワイト方式であっても、ノーマリーブラック方式であっても、１．８Ｖ付近で電圧―透過率特性が不連続となる。これは、１．８Ｖを境として、１．８Ｖ以上ではスプレイ配向からベンド配向に変化するためである。
【００５０】
そして、上述の通り、ＯＣＢモードでは、実際の表示は、前記境より高電圧側で行われるのに対して、電圧が印加されない画素は、前記境より低電圧側に位置する。
【００５１】
そして、例えばノーマリーホワイト方式において、電圧無印加時の透過率は、おおよそ０．２２となり、液晶分子に電圧が印加されない場合には、輝点不良となり得ることがわかる。
【００５２】
そこで本発明は、前記の問題点に鑑みてなされたものであり、その目的は、ＯＣＢモードの液晶表示装置において、不良画素が表示上目立つことが抑制された液晶表示装置を得ることである。
【００５３】
詳しくは、ノーマリーホワイトを採用する方式において、輝点欠点が目立つことを抑制可能な液晶表示装置を得ることにある。
【００５４】
本発明の液晶表示装置は、前記課題を解決するために、相互に対向して配置された第１基板及び第２基板と、前記第１基板と前記第２基板との間に挟持された液晶層と、前記第１基板及び第２基板の前記液晶層に面する面の反対面に各々設けられた偏光板と、前記第１基板及び第２基板のうちの少なくとも一方の基板における、基板と前記偏光板との間に設けられた、少なくとも一枚の光学補償フィルムとが備えられ、前記液晶層に含まれた液晶分子は、前記液晶層に電圧が印加されていない状態でスプレイ配向しており、前記液晶層に電圧が印加されることによって、前記スプレイ配向からベンド配向に配向転移するＯＣＢモードの液晶表示装置であって、前記液晶層に電圧が印加されていないときの液晶層のリタデーションが、前記光学補償フィルムの総リタデーションに主波長の自然数倍を加えた値の±（前記主波長の１割の値）の範囲内であることを特徴とする。
【００５５】
前記の構成によれば、液晶層に電圧が印加されていないときの液晶層のリタデーションが、光学補償フィルムの総リタデーション（光学補償フィルムが複数枚用いられている場合には、各々のリタデーションの総和）に主波長の自然数倍を加えた値の±１０％の範囲内である。したがって、電圧が印加されていない液晶層を透過した光の偏光状態は、光学補償フィルムを透過することによって変化しにくい。なかでも、液晶層に電圧が印加されていないときの液晶層のリタデーションが、光学補償フィルムの総リタデーションに主波長の自然数倍を加えた値に一致する場合には、電圧が印加されていない液晶層を透過した光の偏光状態は、光学補償フィルムを透過することによって変化しない。
【００５６】
その結果、電圧が印加されていない液晶層からの光の透過率が、最小（極値）となるように液晶層のリタデーションを設定した場合、液晶層からの光は、光学補償フィルムを透過しても、その透過率が変化しにくい。
【００５７】
その結果、光学補償フィルムが用いられた液晶表示装置においても、例えば前記ＴＦＴ素子が不良である画素や、前記上下基板が短絡した画素に対応する液晶層、すなわち電圧が印加されていない液晶層からの光を極小とすることができる。
【００５８】
よって、本発明の液晶表示装置は、ＯＣＢモードの液晶表示装置において、電圧が印加されていない液晶層の領域である不良画素が表示上目立つことを抑制することができる。
【００５９】
なお、電圧が印加されていない液晶層からの光を極小とするとは、液晶表示装置がノーマリーホワイト方式であるとき、上記不良画素を目立ちにくくすることができることを意味する。
【００６０】
すなわち、ノーマリーホワイト方式では、電圧が印加されていない液晶層を透過した光は、全面にオン電圧が印加された場合に暗画面中の輝点として認識されるので、電圧が印加されていない液晶層の透過率が最小の極値をとることが好ましい。
【００６１】
また、前記主波長とは、例えば人間の目が光を最も強く感じる緑色に対応した波長、具体的には、５４２ｎｍや５４６．１ｎｍとすることが好ましい。
【００６２】
また、前記リタデーションは、液晶分子の屈折率異方性と液晶層の厚さとの積であるので、所望のリタデーションは、液晶材料を最適化したり、液晶層の厚さを最適化したりすることによって実現することができる。
【００６３】
なお、液晶層のリタデーションにつき、その範囲に±（主波長の１割の値）の幅を持たせたのは、液晶表示装置の製造上、セル厚が例えば±０．３μｍ程度変動することがありえ、またこの程度の変動があっても本発明の効果を得ることができるためである。
【００６４】
すなわち、セル厚が±０．３μｍ変動すると、主波長の１割程度リタデーションが変動するが、このようなリタデーションの変動が生じても本発明の目的を達することができる。
【００６５】
また、本発明の液晶表示装置は、前記光学補償フィルムの総リタデーションが、液晶層に表示時におけるオン電圧が印加されたときの液晶層のリタデーションの±１０％の範囲内とすることができる。
【００６６】
前記の構成によれば、光学補償フィルムの総リタデーションが、液晶層に表示時におけるオン電圧が印加されたときの液晶層のリタデーション、すなわち残留リタデーションの±１０％の範囲内であるので、ノーマリーホワイト方式における光漏れを抑制することができる。
【００６７】
なお、前記残留リタデーションとは、先に説明したとおり、液晶層に電圧が印加された場合に、基板表面の液晶分子が、電圧によって発生した電界方向に配向しないことによって生じるリタデーションのことを意味する。
【００６８】
また、本発明の液晶表示装置は、前記第１基板及び第２基板の内の少なくとも一方の基板には、少なくとも緑色フィルターが備えられたカラーフィルターが設けられており、前記緑色フィルターに対応した領域の前記液晶層において、当該液晶層に電圧が印加されていないときの液晶層のリタデーションが、前記光学補償フィルムの総リタデーションに前記緑色フィルターを透過する光の主波長の自然数倍を加えた値の±（前記緑色フィルターを透過する光の主波長の１割の値）の範囲内とすることができる。
【００６９】
前記の構成によれば、例えば人間の目が光を最も強く感じる緑色の光を透過する領域において、電圧が印加されていないときの透過率を最大又は最小（極値）とすることが容易となる。
【００７０】
よって、電圧が印加されない液晶層の領域である不良画素が表示上目立つことをより抑制することができる。
【００７１】
また、本発明の液晶表示装置は、前記第１基板及び第２基板の内の少なくとも一方の基板には、赤色フィルターと緑色フィルターと青色フィルターとが備えられたカラーフィルターが設けられており、前記赤色フィルターに対応した領域の前記液晶層において、当該液晶層に電圧が印加されていないときの液晶層のリタデーションが、前記光学補償フィルムの総リタデーションに前記赤色フィルターを透過する光の主波長の自然数倍を加えた値の±（前記赤色フィルターを透過する光の主波長の１割の値）の範囲内であり、前記緑色フィルターに対応した領域の前記液晶層において、当該液晶層に電圧が印加されていないときの液晶層のリタデーションが、前記光学補償フィルムの総リタデーションに前記緑色フィルターを透過する光の主波長の自然数倍を加えた値の±（前記緑色フィルターを透過する光の主波長の１割の値）の範囲内であり、前記青色フィルターに対応した領域の前記液晶層において、当該液晶層に電圧が印加されていないときの液晶層のリタデーションが、前記光学補償フィルムの総リタデーションに前記青色フィルターを透過する光の主波長の自然数倍を加えた値の±（前記青色フィルターを透過する光の主波長の１割）の範囲内とすることができる。
【００７２】
前記の構成によれば、緑色の光を透過する領域のみならず、いわゆる３原色の残り２色、すなわち、赤色及び青色の光を透過する領域についても、電圧が印加されていないときの透過率を最大又は最小（極値）とすることが容易となる。
【００７３】
よって、電圧が印加されない液晶層の領域である不良画素が表示上目立つことをさらに抑制することができる。
【００７４】
また、本発明の液晶表示装置は、前記赤色フィルターに対応した領域の液晶層と、前記緑色フィルターに対応した領域の液晶層と、前記青色フィルターに対応した領域の液晶層とにおいて、液晶層の厚みが異ならすことができる。
【００７５】
先に説明とおり、リタデーションは、液晶分子の屈折率異方性と液晶層の厚さとの積である。
【００７６】
よって、前記の構成によれば、液晶層の厚みを異ならすことによって、所望のリタデーションを容易に実現することができる。
【００７７】
また、本発明の液晶表示装置は、前記第１基板及び第２基板の内の少なくとも一方の基板には、赤色フィルターと緑色フィルターと青色フィルターとが備えられたカラーフィルターが設けられており、前記緑色フィルターに対応した領域の液晶層の厚さは、当該液晶層に電圧が印加されていないときの液晶層のリタデーションが、前記光学補償フィルムの総リタデーションに前記緑色フィルターを透過する光の主波長の自然数倍を加えた値の±（前記緑色フィルターを透過する光の主波長の１割の値）の範囲内となるように設定されており、前記赤色フィルターに対応した領域の前記液晶層の厚さは、当該液晶層に表示時におけるオン電圧が印加されたとき当該液晶層の透過率が極値となる液晶層の厚さと、前記緑色フィルターに対応した領域の液晶層の厚さとの差の２倍の値を、前記緑色フィルターに対応した領域の液晶層の厚さに加えた値の±（前記赤色フィルターを透過する光の主波長の１割の値）の範囲内であり、前記青色フィルターに対応した領域の前記液晶層の厚さは、当該液晶層に表示時におけるオン電圧が印加されたとき当該液晶層の透過率が極値となる液晶層の厚さと、前記緑色フィルターに対応した領域の液晶層の厚さとの差の２倍の値を、前記緑色フィルターに対応した領域の液晶層の厚さから減じた値の±（前記青色フィルターを透過する光の主波長の１割の値）の範囲内とすることができる。
【００７８】
前記の構成によれば、液晶層の厚さが、緑色の光に対しては、前述のとおり電圧無印加時の透過率が極値になるように設定されているのに対して、赤色の光及び青色の光に対しては、実表示用の電圧におけるオン電圧印加時（例えばノーマリーホワイト方式における黒電圧印加時）の透過率をより低下させる点をも考慮して設定されている。
【００７９】
具体的には、赤色フィルターと青色フィルターとに対応した領域の前記液晶層の厚さは、各々、緑色に対して最適化されたマルチギャップ（液晶層の厚さが赤色フィルター・緑色フィルター・青色フィルターに対応した領域ですべて均一）の場合におけるオン電圧印加時の低透過率をほぼ維持しながらも、電圧無印加時の不良がより目立たないような厚さに設定されている。
【００８０】
したがって、赤色フィルター・緑色フィルター・青色フィルターに対応した領域の液晶層（例えば赤画素、緑画素、青画素）を同じ電圧で駆動した場合であっても、コントラストの低下を抑制しつつも、不良画素が表示上目立つことを抑制することができる。
【００８１】
また、本発明の液晶表示装置は、前記各々の偏光板が、互いにその光軸が直交するように設けることができる。
【００８２】
前記の構成によれば、電圧が印加されない液晶層の領域が暗画面中の輝点不良となるためより不良画素が表示上目立ちやすいノーマリーホワイト方式において、不良画素を目立ちにくくすることができる。
【００８３】
また、本発明の液晶表示装置は、前記赤色フィルターに対応した領域の液晶層と、前記緑色フィルターに対応した領域の液晶層と、前記青色フィルターに対応した領域の液晶層とによって、１つの表示単位を構成することができる。
【００８４】
前記の構成によれば、１つの表示単位がいわゆる３原色によって構成されているので、フルカラーの表示を実現することが容易となる。
【００８５】
また、本発明の液晶表示装置は、前記主波長を、５４２ｎｍ±１０％の範囲内とすることができる。
【００８６】
前記構成によれば、前記主波長が、人間の目が光を強く感じやすい範囲の波長であるので、表示不良をより目立ちにくくすることができる。
【００８７】
また、本発明の液晶表示装置は、前記緑色フィルターを透過する光の主波長を、５４２ｎｍ±１０％の範囲内とすることができる。
【００８８】
また、本発明の液晶表示装置は、前記赤色フィルターを透過する光の主波長を、６０９ｎｍ±１０％の範囲内とすることができる。
【００８９】
また、本発明の液晶表示装置は、前記青色フィルターを透過する光の主波長を、５０６ｎｍ±１０％の範囲内とすることができる。
【００９０】
本発明の液晶表示装置は、以上のように、液晶層に電圧が印加されていないときの液晶層のリタデーションが、前記光学補償フィルムの総リタデーションに主波長の自然数倍を加えた値の±（前記主波長の１割の値）の範囲内である。
【００９１】
したがって、ＯＣＢモードの液晶表示装置において、不良画素が表示上目立つことが抑制された液晶表示装置を得ることができるという効果を奏する。
【図面の簡単な説明】
【００９２】
【図１】本発明の実施の形態を示すものであり、液晶表示装置の概略構成を示すブロック図である。
【図２】本発明の実施の形態を示すものであり、カラーフィルターの透過率の波長依存性を示す図である。
【図３】電圧が印加されていないときの、セル厚と可視光全域における透過率との関係を示す図である。
【図４】電圧が印加されていないときの、セル厚と赤色、緑色、青色の光に対する透過率との関係を示す図である。
【図５】電圧が印加されていないときの緑色の光に対する透過率と、電圧が印加されているときの青色の光に対する透過率との関係を示す図である。
【図６】本発明の実施の形態を示すものであり、セル厚が３．９μｍの場合の、電圧と透過率との関係を示す図である。
【図７】本発明の実施の形態を示すものであり、セル厚が７．２μｍの場合の、電圧と透過率との関係を示す図である。
【図８】緑画素から出射された光と、波長が５４２ｎｍの単色光とについて、セル厚と透過率との関係を示す図である。
【図９】本発明の他の実施の形態を示すものであり、液晶表示装置の概略構成を模式的に示す断面図である。
【図１０】マルチギャップ構成における、印加電圧と各色の画素の透過率との関係を示す図である。
【図１１】本発明の他の実施の形態を示すものであり、マルチギャップ構成における、印加電圧と各色の画素の透過率との関係を示す図である。
【図１２】緑画素の電圧無印加時及び黒電圧印加時の透過率のセル厚依存性を示す図である。
【図１３】赤画素の電圧無印加時及び黒電圧印加時の透過率のセル厚依存性を示す図である。
【図１４】青画素の電圧無印加時及び黒電圧印加時の透過率のセル厚依存性を示す図である。
【図１５】本発明の他の実施の形態を示すものであり、マルチギャップ構成における、印加電圧と各色の画素の透過率との関係を示す図である。
【図１６】ＯＣＢモードを用いた液晶表示装置の概略構成を模式的に示す断面図である。
【図１７】ＯＣＢモードを用いた液晶表示装置の概略構成を模式的に示す断面図である。
【図１８】ＯＣＢモードを用いた液晶表示装置において、ノーマリーホワイト方式とノーマリーブラック方式との、印加される電圧と透過率との関係を示す図である。
【図１９】ＯＣＢモードを用いた液晶表示装置において、セル厚と、黒表示における透過率との関係を示す図である。
【符号の説明】
【００９３】
１    液晶表示装置
５    液晶表示パネル
１０    第１基板
１１    第１ガラス基板
１３    配線層
１５    絶縁層
１７    画素電極
１９    第１配向膜
２０    第２基板
２１    第２ガラス基板
２３    カラーフィルター
２３Ｒ  赤色フィルター
２３Ｇ  緑色フィルター
２３Ｂ  青色フィルター
２７    対向電極
２９    第２配向膜
３０    画素
３０Ｒ  赤画素
３０Ｇ  緑画素
３０Ｂ  青画素
３２    ゲートバスライン
３４    ソースバスライン
３６    ＴＦＴ素子
４１    第１光学補償フィルム  （光学補償フィルム）
４３    第１偏光板  （偏光板）
４５    第２光学補償フィルム  （光学補償フィルム）
４７    第２偏光板  （偏光板）
５０    液晶層
５２    液晶分子
６０    表示制御回路
６２    ゲートドライバ
６４    ソースドライバ
６６    階調電圧源
６８    対向電極駆動電源
７０    バックライト
Ｒｅ（ｌ）  液晶層のリタデーション
Ｒｅ（ｆ）  光学補償フィルムのリタデーション
Ｒｅ（ｒ）  残留リタデーション
λｄ    主波長
【発明を実施するための最良の形態】
【００９４】
〔実施の形態１〕
本発明の一実施の形態について図１から図１０に基づいて説明すると以下の通りである。【００９５】
（液晶表示装置の構成）
まず、本実施の形態の液晶表示装置の構成について、図１に基づいて説明する。ここで、図１は、液晶表示装置１の概略構成を示すブロック図である。【００９６】
本実施の形態の液晶表示装置１には、走査信号線駆動回路としてのゲートドライバ６２と、データ信号線駆動回路としてのソースドライバ６４と、ゲートドライバ６２及びソースドライバ６４を制御するための表示制御回路６０と、階調電圧源６６と、対向電極２７を駆動するための対向電極駆動電源６８と、アクティブマトリクス形の液晶表示パネル５とが備えられている。【００９７】
さらに、前記液晶表示装置１における液晶表示パネル５には、複数本（ｍ本）の走査信号線としてのゲートバスライン３２（ＧＬ１〜ＧＬｍ）と、それらゲートバスライン３２（ＧＬ１〜ＧＬｍ）のそれぞれと交差する複数本（ｎ本）のデータ信号線としてのソースバスライン３４（ＳＬ１〜ＳＬｎ）と、それらのゲートバスライン３２（ＧＬ１〜ＧＬｍ）とソースバスライン３４（ＳＬ１〜ＳＬｎ）との交差点にそれぞれ対応して形成された複数個（ｍ×ｎ個）の画素３０とが設けられている。さらに、前記ゲートバスライン３２と同一層には、前記ゲートバスライン３２と平行に、任意の電位を外部から独立して与えることが可能な共通電極（図示せず）が設けられている。【００９８】
これらの画素３０はマトリクス状に配置されて画素アレイを構成し、各画素３０には、スイッチング素子であるＴＦＴ素子３６と、そのＴＦＴ素子３６のドレイン端子に接続された画素電極１７と、液晶層５０とが備えられている。【００９９】
また、前記ＴＦＴ素子３６は、そのゲート端子が対応する前記交差点を通過するゲートバスライン３２に接続されているとともに、ソース端子が当該交差点を通過するソースバスライン３４に接続されている。そして、画素電極１７と対向電極２７とで形成される液晶容量等によって、画素容量Ｃｐが構成されている。【０１００】
（液晶表示装置の駆動）
そして、液晶表示装置１は、以下のように駆動される。すなわち、前記各画素３０における画素電極１７には、ゲートドライバ６２及びソースドライバ６４によって、表示すべき画像に応じた電位が与えられる。これによって、画素電極１７と対向電極２７との間の電位差に応じた電圧が液晶層５０（液晶分子５２）に印加され、この電圧印加によって液晶層５０における光の透過量が制御されることで表示が行われる。【０１０１】
なお、図１における、ＤＡはデジタル画像信号を、ＳＳＰはソーススタートパルス信号を、ＳＣＫはソースクロック信号を、ＧＣＫはゲートクロック信号を、ＧＳＰはゲートスタートパルス信号を、ＧＯＥはゲートドライバ出力制御信号を、Ｄｖはデジタルビデオ信号を、ＨＳＹは水平同期信号を、ＶＳＹは垂直同期信号を、Ｄｃは制御信号を、Ｖｃｓは容量電極印加電圧を示している。【０１０２】
（液晶表示パネルの構成）
つぎに、本実施の形態の液晶表示パネル５の構成について説明する。本実施の形態の液晶表示パネル５は、先に図１６及び図１７に基づいて説明した液晶表示パネル５と同様の構成を有している。【０１０３】
すなわち、第１ガラス基板１１に配線層１３、絶縁層１５、画素電極１７及び第１配向膜１９が設けられてなる第１基板１０と、第２ガラス基板２１にカラーフィルター２３、対向電極２７及び第２配向膜２９が設けられてなる第２基板２０と、これらの両基板に挟持された液晶層５０とを有している。【０１０４】
また、前記液晶層５０に含まれる液晶分子は、その屈折率異方性Δｎが０．１６であり、第１ガラス基板１１と第２ガラス基板２１との間隔であるセル厚は例えば３．９μｍ又は７．２μｍである。ここで、前記液晶層５０の厚みと、前記セル厚とはほぼ等しい。【０１０５】
（カラーフィルター）
また、前記カラーフィルター２３には、詳しくは、赤色、緑色、青色の３色のフィルターが備えられている。そして、前記画素３０には、前記各々の色のフィルター（赤色フィルター、緑色フィルター、青色フィルター）に対応して、赤色を表示する画素（赤画素）と、緑色を表示する画素（緑画素）と、青色を表示する画素（青画素）との３種の画素が含まれる。【０１０６】
ここで、前記赤画素から出射される光（赤色の光）、緑画素から出射される光（緑色の光）、青画素から出射される光（青色の光）の波長特性は、カラーフィルター２３の光学特性（透過率の波長依存性）に依存する。図２に本実施の形態のカラーフィルター２３の透過率の波長依存性の一例を示す。図２に示すように、赤色フィルター、緑色フィルター、及び、青色フィルターからの透過光は、いずれも単色光ではなく、一定の波長領域の光を透過する。【０１０７】
（他の部分の構成）
また、前記第１配向膜１９及び第２配向膜２９は、ともに水平配向膜である。【０１０８】
さらに、第１ガラス基板１１の液晶層５０に面しない面には、第１光学補償フィルム４１と第１偏光板４３とが、この順序で貼合されており、他方、第２ガラス基板２１の液晶層５０に面しない面には、第２光学補償フィルム４５と第２偏光板４７とが、この順序で貼合されている。前記各光学補償フィルムは、その遅相軸が液晶分子の配向方向と垂直になるように配置することが好ましい。【０１０９】
そして、本実施の形態においては、前記２枚の偏光板、第１偏光板４３と第２偏光板４７とは、光軸が互いに直交する方向に貼合されており、いわゆるノーマリーホワイト（ＮＷ）方式で表示が行われている。【０１１０】
（スプレイ−ベンド転移）
そして、本実施の形態の液晶表示パネル５は、ＯＣＢモードの液晶表示パネル５であり、前述の通り、液晶表示装置１の電源がオフされている間、液晶分子５２は、図１６に示すようなスプレイ配向をしている。したがって、液晶表示装置１の電源がオンされた際に、液晶分子５２をスプレイ配向からベンド配向へ配向転移（スプレイ−ベンド転移）させる必要がある。このスプレイ−ベンド転移は、一般的に、通常の駆動電圧とは異なる転移電圧、例えば２５Ｖ等の高電圧を液晶層５０に印加することによって行われる。【０１１１】
（ＯＣＢモードにおけるリタデーション）
つぎに、本実施の形態の液晶表示装置１における液晶層５０のリタデーション及び各光学補償フィルム４１・４５について説明する。【０１１２】
ＯＣＢモードの液晶表示装置１では、前述の通り、液晶分子５２は、電圧無印加時にはスプレイ配向（図１６参照）、他方駆動時（通常の表示が行われている間）にはベンド配向（図１７参照）している。【０１１３】
そして、図１６に示すようにスプレイ配向では、液晶分子５２のダイレクタ（液晶分子５２の長軸方向）は、液晶層５０のセル厚方向における中央近傍部、言い換えると液晶表示パネル断面方向中央部においては、各基板（第１基板１０・第２基板２０）面に対してほぼ平行方向である。これに対してベンド配向では、前記液晶分子５２のダイレクタは、図１７に示すように、各基板面に対してほぼ垂直方向である。【０１１４】
以上のように、ＯＣＢモードの液晶表示装置１では、電圧無印加時と表示電圧（通常の表示が行われている間に印加される電圧）印加時とで、液晶分子５２の角度が大きく異なる。その結果、液晶層５０のリタデーションは著しく異なる。【０１１５】
そのため、電圧無印加時の透過率を抑えつつ、表示電圧印加時に所望の光学特性を得るような設計が可能になる。【０１１６】
すなわち、本実施の形態の液晶表示装置１においては、ＯＣＢモードとしても表示を保ちながら、電圧無印加、言い換えると、スプレイ配向時の透過率を最小に抑えるように液晶層と光学補償フィルムのリタデーションを設計している。以下、説明する。【０１１７】
（スプレイ配向における透過率（全波長））
ここで、まず、ＯＣＢモードの液晶表示装置１において、液晶層５０に電圧が印加されていない状態、言い換えると、液晶分子５２がスプレイ配向した状態における、透過率のセル厚依存性について、図３に基づいて説明する。【０１１８】
図３は、ＯＣＢモードの液晶表示装置１において、液晶層５０に電圧が印加されていない状態、すなわちスプレイ配向状態におけるセル厚と透過率との関係を示す図である。ここで、リタデーションは、セル厚と液晶分子屈折率異方性との積であるため、セル厚を変化させると、それに連動してリタデーションが変化する。したがって、図３は、液晶層５０のリタデーションと透過率との関係を示しているともいえる。【０１１９】
そして、この図３が示す透過率は、前記赤色を表示する画素、緑色を表示する画素、青色を表示する画素から出射される光を合わせての透過率である。すなわち、ほぼ全可視光領域の光における透過率を示している。なお、前記透過率は主感度補正後の値である。また、図３に透過率を示した液晶表示装置１では、光学補償フィルム（第１光学補償フィルム４１、第２光学補償フィルム４５）を用いている。【０１２０】
図３に示すように、セル厚が変化すると、それに連動して透過率が変化する。すなわち、リタデーションの変化にしたがって透過率が変化し、その透過率は、一定のセル厚で極小となる。【０１２１】
したがって、上記スプレイ配向での透過率が極小となるセル厚で、液晶表示パネル５を設計すれば、画素３０のＴＦＴ素子が不良であったり、上下基板が短絡したりするなどによって、液晶層５０に電圧が印加できない画素（ＴＦＴ素子不良画素や短絡画素などの不良画素）３０が存在しても、その存在を目立ちにくくすることができる。スプレイ配向における透過率を低くすることができるからである。【０１２２】
（スプレイ配向における透過率（各色））
ここで、一般に液晶表示装置１では赤色フィルター２３Ｒを有する画素３０（赤画素３０Ｒ）、緑色フィルター２３Ｇを有する画素３０（緑画素３０Ｇ）、青色フィルター２３Ｂを有する画素３０（青画素３０Ｂ）の３つの画素３０を１つの絵素として色を表現する。したがって、ＴＦＴ素子３６の不良や上下短絡による不良は、赤色、緑色、又は、青色の１点が点灯して見えることが多い。【０１２３】
そこで、前記セル厚を設定するにあたり、人間の色に対する視認特性を考慮することによって、より前記不良画素の存在を目立ちにくくすることができる。【０１２４】
すなわち、人間の目は、その色によって光を感じる強さが異なり、緑色の光を最も強く感じる。したがって、緑色の光を出射する緑画素について、電圧が印加されていないときの透過率を低くすることによって、画素不良をより視認しにくくすることができる。【０１２５】
そこで、上記赤色の光、緑色の光、青色の光について、言い換えると、前記各色の光を出射する画素３０である赤画素３０Ｒ、緑画素３０Ｇ、青画素３０Ｂについて、各々、透過率とセル厚との関係を測定した。その結果を図４に示す。【０１２６】
図４は、ＯＣＢモードの液晶表示装置１において、液晶層５０に電圧が印加されていない状態、言い換えると、液晶分子５２がスプレイ配向した状態における、透過率のセル厚依存性を、前記赤色を表示する画素、緑色を表示する画素、青色を表示する画素の各画素にについて示す図である。なお、透過率は主感度補正後の値である。【０１２７】
（緑基準のセル厚設定）
図４に示すように、透過率が最小値をとるセル厚は、色、すなわち波長によって異なる。具体的には、例えば人間の目が光を最も強く感じる緑色の光に対しては、セル厚０．６μｍ、３．９μｍ、７．２μｍ等の近傍で極小値をとる。【０１２８】
そこで、前記値にセル厚を設定し、緑色の光を出射する緑画素３０Ｇについて、電圧が印加されていないときの透過率を低くすることが画素不良を視認しにくくするのに最も効果的である。【０１２９】
すなわち、上記スプレイ配向での透過率が極小となるセル厚で、液晶表示パネル５を設計すれば、画素３０のＴＦＴ素子が不良であったり、上下基板が短絡したりするなどによって、液晶層５０に電圧が印加できない画素（ＴＦＴ素子不良画素や短絡画素などの不良画素）３０が存在しても、その存在を目立ちにくくすることができる。【０１３０】
これによって、画素３０に電圧が印加できないために、ノーマリーホワイト方式において従来輝点として認識されていた画素３０の透過率が小さくなり、言い換えると輝点の輝度が下がり、不良画素が認識されにくくなる。【０１３１】
（光学補償フィルム付きの構成）
ここで、ＯＣＢモードの液晶表示装置１では、前述のとおり、視野角を広げたり、残留リタデーションを補償したりすること等を目的として、一般的に光学補償フィルムが用いられる。【０１３２】
そのため、上述のように、偏光板・液晶層・偏光板の構成において、不良画素の透過率が低くなるように液晶表示パネル５を設計しても、実際の構成、すなわち光学補償フィルムを用いた構成である、偏光板・光学補償フィルム・液晶層・光学補償フィルム・偏光板の構成では、不良画素の透過率が低下しない場合がある。【０１３３】
これは、不良画素を透過した光に対して、前記光学補償フィルムの有するリタデーションが付加され、偏光状態が変化するためである。そして、偏光状態が変化することによって、偏光板・液晶層・偏光板の構成の場合と同様の透過率低下が見込めない場合がある。【０１３４】
（セル厚と光学補償フィルム）
そこで、広視野角や残留リタデーション補償のために光学補償フィルムが用いられた場合であっても、前記不良画素の透過率の低下が維持された構成とする必要がある。【０１３５】
言い換えると、光学補償フィルムが用いられた構成において、スプレイ配向における低透過率と、ベンド配向における実表示のコントラストとを両立させる必要がある。【０１３６】
そこで、本実施の形態の液晶表示装置１では、液晶層５０のリタデーションと、光学補償フィルム（第１光学補償フィルム４１と第２光学補償フィルム４５）のリタデーションとにおいて、液晶層のリタデーション（Ｒｅ（ｌ））］が、前記光学補償フィルム４１・４５のリタデーションＲｅ（ｆ）の自然数倍となるように設定されている。ここで、光学補償フィルム４１・４５のリタデーションＲｅ（ｆ）は、光学補償フィルムが一枚のみ用いられる場合は、その光学補償フィルムのリタデーションをさし、光学補償フィルムが複数枚用いられる場合は、それらの光学補償フィルムをリタデーションの総和をさす。【０１３７】
光学補償フィルム４１・４５と液晶層５０とが、リタデーションについて上記の関係を有する場合には、不良画素に対応する液晶層５０のみを透過した光の偏光状態は、光学補償フィルム４１・４５を透過することによって変化しない。【０１３８】
その結果、液晶層５０のリタデーション、具体的には液晶層５０の厚みを、透過率が図３又は図４に示す極小値となる厚みに設定すると、液晶表示装置１に光学補償フィルム４１・４５が用いられた場合であっても、不良画素の透過率を低くすることができる。【０１３９】
（緑での最適化）
以下、セル厚を、前記緑色の光に対して最適化した実施形態例について説明する。【０１４０】
図５は、緑画素３０Ｇに電圧が印加されないときの透過率のセル厚依存性を示している。また、図５の点線は、青画素３０Ｂが点灯（実表示におけるオフ電圧印加）した際の透過率を示している。【０１４１】
図５に示すように、電圧無印加時の透過率は、緑画素３０Ｇから出射される光に対して、セル厚０．６μｍ、３．９μｍ、７．２μｍ、１１．０μｍで極小値をとる。すなわち、透過率が極小となるセル厚が存在する。【０１４２】
（液晶表示パネルの設計）
ここで表示不良は、その輝度が、青画素が点灯したときと同程度の輝度であればほとんど目立たない。そこで、電圧無印加時の緑画素の透過率を青画素の点灯時の透過率以下にするよう設計する。【０１４３】
すなわち、図５に示す実施の形態においては、緑画素の透過率が極小となるセル厚、０．６μｍ、３．９μｍ、７．２μｍ、１０．５μｍのなかで、セル厚が１０．５μｍの場合には、緑画素の電圧無印加時の輝度が、青画素点灯時（実表示時）の透過率を上回るためふさわしくない。【０１４４】
また、セル厚０．６μｍは、実表示時（ベンド配向時）にほとんど光を透過しないため、ふさわしくない。【０１４５】
そこで、セル厚３．９μｍと７．２μｍとが、課題を解決するためによりふさわしいセル厚といえる。【０１４６】
以下、セル厚を３．９μｍとした場合と、７．２μｍとした場合とについて、図６及び図７に基づいて説明する。図６は、セル厚を３．９μｍとした場合の、セル厚と透過率との関係を示す図であり、図７は、セル厚を７．２μｍとした場合の、セル厚と透過率との関係を示す図である。なお、図６及び図７における赤（Ｒ）、緑（Ｇ）、青（Ｂ）は、各々赤色、緑色、青色の光に対する透過率を示している。【０１４７】
（セル厚３．９μｍの構成）
ここで、セル厚を３．９μｍとした場合には、電圧無印加時の液晶層のリタデーションＲｅ（ｌ）は６２４ｎｍ（液晶分子の屈折率異方性Δｎが０．１６）となり、光学補償フィルムのリタデーションＲｅ（ｆ）（第１光学補償フィルム４１及び第２光学補償フィルム４５のリタデーションの和）は５４．７ｎｍとした。【０１４８】
この場合、電圧無印加時の液晶層のリタデーションＲｅ（ｌ）と、光学補償フィルムのリタデーションＲｅ（ｆ）とは、
Ｒｅ（ｌ）＝Ｒｅ（ｆ）＋主波長λ（ｄ）×ｎ・・・式（１）
の関係を満たしている。ここで、λ（ｄ）は主波長を示し、ｎは自然数を示している。【０１４９】
具体的には、セル厚が３．９μｍの実施形態では、主波長を緑画素からの透過光に対応して５４２ｎｍとし、ｎは１となっている。【０１５０】
（セル厚７．２μｍの構成）
また、セル厚を７．２μｍとした場合には、電圧無印加時の液晶層のリタデーションＲｅ（ｌ）は１１５２ｎｍ（液晶分子の屈折率異方性Δｎが０．１６）となり、光学補償フィルムのリタデーションＲｅ（ｆ）（第１光学補償フィルム４１及び第２光学補償フィルム４５のリタデーションの和）は１００．９ｎｍとした。【０１５１】
この場合、主波長は５４２ｎｍとし、ｎは２となっている。【０１５２】
図６及び図７に示すように、セル厚が３．９μｍの場合も、セル厚が７．２μｍの場合も、赤色、青色、緑色のすべて色の光において、電圧無印加時の透過率を、ベンド配向における実表示時（電圧印加時）の青色の光の透過率以下とすることができ、ＴＦＴ素子不良や上下短絡による表示不良を目立たなくすることができた。【０１５３】
また、セル厚を３．９μｍとした場合には、図６に示すように、電圧が印加されていないときの透過率は、赤色、緑色、青色のすべての色の光において、０．０２以下となった。【０１５４】
他方、セル厚を７．２μｍとした場合には、図７に示すように、電圧が印加されていないときの透過率は、約０．０５以下となり、上記セル厚が３．９μｍの場合と比べて、透過率の低下は小さくなる。しかし、上記セル厚が３．９μｍのときにみられた、１．８Ｖ（ベンド配向の境界近傍電圧）近傍における、透過率の低下を抑制することができる。【０１５５】
以上のように、セル厚を電圧無印加時の透過率が極小となる値に設定するとともに、液晶層５０のリタデーションＲｅ（ｌ）が、前記光学補償フィルム４１・４５のリタデーションＲｅ（ｆ）の自然数倍となるように設定することによって、ベンド配向における実表示と、不良画素での透過率の抑制との両方の特性を満足することが可能な液晶表示装置１を実現することができる。さらには、セル厚を変えることによって、例えばベンド配向における実表示を優先する構成（セル厚＝７．２μｍ）や、不良画素での透過率抑制を優先する構成（セル厚＝３．９μｍ）を選択することも可能である。【０１５６】
（セル厚の算出）
なお、上記透過率が極小となるセル厚は、演算式によって算出することも可能である。【０１５７】
ここで、前記図２に基づいて説明したとおり、各色のカラーフィルターはいずれも単色光ではない（一定の波長領域の光を透過する）が、単波長に置き換えて考えることが可能である。【０１５８】
以下、図８に基づいて、緑色の光を例にして説明する。ここで、図８は、緑画素３０Ｇから出射された光（緑色フィルター２３Ｇを透過した光）と、波長が５４２ｎｍ（主波長）の単色光とについて、セル厚と透過率との関係を示す図である。【０１５９】
図８に示すように、緑画素３０Ｇから出射された光について、電圧無印加時の透過率が極小となるセル厚は、波長が５４２ｎｍの単色光の電圧無印加時の透過率が極小となるセル厚と同じである。【０１６０】
すなわち、単色光の波長を主波長λ（ｍ）、残留電圧無印加時の液晶層のリタデーションをＲｅ（ｌ）、残留リタデーションをＲｅ（ｒ）、λ（ｄ）を５４２ｎｍ、ｎを自然数とした場合において、
Ｒｅ（ｌ）＝Ｒｅ（ｒ）＋λ（ｄ）×ｎ・・・式（２）
という関係を満たすようにセル厚に設計すると、透過率、言い換えるとＬｕｍｉｎａｎｃｅ（ａ．ｕ．）が極小となることを図８は示している。【０１６１】
そこで、上記式（２）を満たすセル厚及びその近傍のセル厚において、電圧無印加時の透過率が、一定の値以下になるようにセル厚を決定すればよいこととなる。【０１６２】
以上のように、単光色の波長をもとにして演算することによって、ベンド配向において所定の光学特性を得つつ、電圧を印加していないときに透過率が最小になるリタデーションを選んで液晶表示パネルを設計すること（セル厚を決定すること）が可能である。【０１６３】
〔実施の形態２〕
本発明の他の実施の形態について図９から図１１などに基づいて説明すれば、以下の通りである。なお、本実施の形態において説明すること以外の構成は、前記実施の形態１と同じである。また、説明の便宜上、前記の実施の形態１の図面に示した部材と同じ機能を有する部材については、同じ符号を付し、その説明を省略する。【０１６４】
前記実施の形態１においては、不良画素のうちの緑画素（緑色の光を出射する画素）からの出射光が、通常点灯時（実表示時）の青画素（青色の光を出射する画素）からの出射光と同程度、又は、それ以下の輝度となるように、液晶表示パネル５を設計した。すなわち、緑画素を中心とした設計であった。【０１６５】
これに対し、本実施の形態の液晶表示パネル５では、緑画素のみならず、青画素及び赤画素（赤色の光を出射する画素）についても考慮した液晶表示パネル５の設計となっている点が特徴である。以下、説明する。【０１６６】
前記図４に示したとおり、電圧無印加時において、赤色の光及び青色の光の透過率は、緑色の光の透過率よりも全体的に低くなっている。本実施の形態においては、この特性を利用して、緑画素のみならず青画素及び赤画素についても透過率を低くすることによって、全体としてより不良画素を目立ちにくくするものである。具体的には、緑色、青色、赤色について、各々別個のセル厚を設定して、それぞれの色について、不良画素からの透過率（不良画素の輝度）を下げようとするものである。【０１６７】
（マルチギャップ構成）
本実施の形態の液晶表示装置１では、前記特性を実現するために、液晶表示パネル５がマルチギャップ構成を有している。【０１６８】
ここで、マルチギャップ構成とは、各色画素（赤画素３０Ｒ、緑画素３０Ｇ、青画素３０Ｂ）において、セル厚が異なる構成を意味する。以下説明する。【０１６９】
図９は、マルチギャップ構成を有する液晶表示装置１の概略構成を模式的に示す断面図である。【０１７０】
図９に示すように、マルチギャップ構成を有する液晶表示パネル５では、各色画素３０（赤画素３０Ｒ、緑画素３０Ｇ、青画素３０Ｂ）でセル厚が各々最適化されることによって、液晶表示パネル５内でセル厚が異なっている。【０１７１】
そして、通常、ＯＣＢモードのように、液晶分子の有する複屈折を利用する表示モードにおいて、前記マルチギャップ構成は、赤画素３０Ｒ、緑画素３０Ｇ、青画素３０Ｂの黒輝度（実表示におけるオン電圧印加時の輝度）を補正して、コントラストを改善するために使用される。【０１７２】
これに対して、本実施の形態のマルチギャップ構成では、電圧無印加時の透過率特性を考慮して、各々のセル厚が設定される。以下、図１０などに基づいて、より具体的に説明する。【０１７３】
図１０は、マルチギャップ構成における、印加電圧と各色の画素の透過率との関係を示す図である。図１０に光学特性を示す液晶表示パネル５は、緑画素３０Ｇの特性を優先したマルチギャップ手法（マルチギャップ構成における各セル厚を定める方法）によって、そのセル厚が設定されている。【０１７４】
すなわち、まず緑画素３０Ｇについて、電圧が印加されていないときの透過率が最小になるようにセル厚を定める。つぎに、赤画素３０Ｒ及び青画素３０Ｂについて、黒電圧（実表示におけるオン電圧）を印加したときに透過率が最小となるようにセル厚を定めたものである。【０１７５】
その結果、セル厚は、赤画素のセル厚は厚く、青画素のセル厚は薄く、具体的には、赤画素３０Ｒのセル厚は７．５μｍ、緑画素３０Ｇのセル厚は７．２μｍ、青画素３０Ｂのセル厚は７．０μｍとなっている。【０１７６】
（シングルギャップ構成と従来のマルチギャップ構成）
このようなセル厚を有する液晶表示装置１の光学特性、特に電圧無印加時の透過率について、前記図７に示す液晶表示装置１の光学特性と比較しながら説明する。ここで、図７に示す液晶表示装置１とは、緑の光に最適化されたシングルギャップ構成（赤画素、緑画素、青画素でセル厚が変わらず、均一なセル厚）を有している。【０１７７】
図１０に示すように、マルチギャップ構成では、緑の光に最適化されたシングルギャップ構成（セル厚７．２μｍ、図７参照）に比べ、電圧無印加の赤色の光の透過率、及び、青色の光の透過率が低下していることがわかる。【０１７８】
すなわち、シングルギャップ構成においては、赤画素３０Ｒ、緑画素３０Ｇ、青画素３０Ｂの透過率は、各々およそ０．０４２、０．０２８、０．０２０であるのに対して（図７参照）、従来のマルチギャップ構成においては、各々およそ０．０３０、０．０３０、０．０１７となり、図１０に示す液晶表示装置１の方が、３色ともに透過率が低下している。【０１７９】
しかしながら、上記のマルチギャップ手法に基づいてセル厚が設定された前記図１０に示す液晶表示装置１では、青画素３０Ｂについての改善（電圧無印加時の透過率の低下）がわずかである。すなわち、赤画素３０Ｒにおける透過率の低下が０．０１２であるのに対して、青画素３０Ｂにおける透過率の低下は０．００３にとどまっている。これは、上記のマルチギャップ手法においては電圧無印加時の透過率については、緑色以外の色について考慮した設計を行っていないためである。【０１８０】
（本実施の形態のマルチギャップ構成）
そこで、緑色に加えて、赤色及び青色についても、電圧無印加時の透過率を考慮して、具体的には透過率が極小となるようにセル厚を設定した本実施の形態の液晶表示装置１について説明する。【０１８１】
本実施の形態の液晶表示装置１においても、各色の画素３０のセル厚は、従来のマルチギャップ手法によるマルチギャップ構成と同様に、赤画素３０Ｒは厚く、青画素３０Ｂは薄くなっている。これは、電圧無印加時の透過率だけでなく、本来表示に使用するベンド配向時の表示特性を劣化させないためである。【０１８２】
ただし、各々最適化されたセル厚は異なっている。以下、説明する。【０１８３】
本実施の形態の液晶表示装置１では、各色の画素３０（赤画素３０Ｒ、緑画素３０Ｇ、青画素３０Ｂ）のセル厚を決めるに際し、各々の色について、電圧無印加時の透過率が極小値となるような値、又は、その近傍の値とした。【０１８４】
具体的には、前記図４に示す、電圧無印加時におけるセル厚と赤色・緑色・青色の光の透過率との関係に基づいて、各セル厚を決定した。すなわち、各色について、電圧無印加時の透過率が極小値となる複数のセル厚のうち、各色についてのセル厚差が大きくならない組合せを選択して、各色のセル厚を決定した。【０１８５】
以下、赤画素３０Ｒのセル厚が８．４μｍ、緑画素３０Ｇのセル厚が７．２μｍ、青画素３０Ｂがセル厚は６．５μｍの場合について説明する。上記各セル厚では、各々の色の画素の透過率が極小値となり、かつ、各々のセル厚の値は近接した組合せとなっている。【０１８６】
図１１に、上記手法によってセル厚が決定された液晶表示装置１における、印加電圧と透過率との関係を示す。すなわち、赤画素３０Ｒ、緑画素３０Ｇ、青画素３０Ｂについて、各々電圧を印加しない時の透過率が最小になるように、言い換えると赤色の光、緑色の光、青色の光に対する透過率が各々最小になるように、セル厚を設定した液晶表示パネル５における、各々の画素３０（赤画素３０Ｒ、緑画素３０Ｇ、青画素３０Ｂ）の透過率を示す図である。【０１８７】
ここで、図１１に示す液晶表示装置１においては、赤画素３０Ｒのセル厚は８．４μｍ、緑画素３０Ｇのセル厚は７．２μｍ、青画素３０Ｂのセル厚は６．５μｍとなっている。【０１８８】
そして、光学補償フィルムのリタデーションＲｅ（ｆ）（第１光学補償フィルム４１及び第２光学補償フィルム４５のリタデーションの和）は１００．９ｎｍとした。【０１８９】
この場合、電圧無印加時の液晶層のリタデーションＲｅ（ｌ）と、光学補償フィルムのリタデーションＲｅ（ｆ）とは、
Ｒｅ（ｌ）＝Ｒｅ（ｆ）＋主波長λ（ｄ）×ｎ・・・式（１）
の関係を満たしている。ここで、λ（ｄ）は主波長を示し、ｎは自然数を示している。【０１９０】
具体的には、赤画素３０Ｒでは主波長６０９ｎｍに対してｎは３、緑画素３０Ｇでは主波長５４２ｎｍに対してｎは３、青画素３０Ｂでは主波長５０６ｎｍに対してｎは３となっている。【０１９１】
図１１に示すように、本実施の形態の液晶表示装置１においては、ベンド配向時の表示特性をほぼ維持しつつ、電圧無印加時の透過率を極小に抑えることができる。具体的には、先の電圧無印加時の緑色のみを考慮して設計されたマルチギャップ構造の液晶表示装置１（図１０参照）と比べ、赤画素３０Ｒの透過率がおよそ０．０３０から０．００６に、青画素３０Ｂの透過率がおよそ０．０１７から０．００９に低下した。【０１９２】
そして、赤画素３０Ｒ及び青画素３０Ｂの透過率が上記の値まで低い場合には、観者からは、赤画素３０Ｒ及び青画素３０Ｂについてはほとんど不良画素として認識されない。したがって、不良画素が生じた場合、その不良画素が観者から認識されるときは、不良画素が緑画素３０Ｇである場合のみとなる。よって、事実上表示不良を１／３程度に軽減することができる。【０１９３】
また、本実施の形態においては、セル厚を大きく変動させているため、黒電圧印加時の透過率が若干上がる場合がある。その対策としては、赤画素３０Ｒ及び青画素３０Ｂを緑画素３０Ｇとは異なる電圧で駆動する等、各色画素３０を異なった電圧で駆動すること等が考えられる。【０１９４】
〔実施の形態３〕
本発明の他の実施の形態について説明する。なお、本実施の形態において説明すること以外の構成は、前記各実施の形態と同じである。また、説明の便宜上、前記各実施の形態の図面に示した部材と同じ機能を有する部材については、同じ符号を付し、その説明を省略する。【０１９５】
前記実施の形態２においては、赤画素３０Ｒ、緑画素３０Ｇ、青画素３０Ｂの各々に対するセル厚を、いずれの画素（いずれの色）に対しても、電圧無印加時の透過率が最小になるように設定していた。【０１９６】
これに対して、本実施の形態の液晶表示装置１では、緑画素３０Ｇについては、前記実施の形態２と同様に、電圧無印加時の透過率が最小になるようにそのセル厚を設定するのに対して、赤画素３０Ｒ及び青画素３０Ｂについては、黒電圧印加時（実表示用の電圧におけるオン電圧）の透過率をより低下させることをも考慮して、緑画素３０Ｇとは異なる手法でそのセル厚を設定している。すなわち赤画素３０Ｒ、緑画素３０Ｇ、青画素３０Ｂの３色の画素を同じ電圧で駆動した場合であっても、コントラストの低下が抑制されつつも、電圧が印加されていないときの透過率を極力低下させる手段を講じるものである。以下、図１２から図１５に基づいて説明する。【０１９７】
ここで、図１２から図１４は、各々緑画素３０Ｇ、赤画素３０Ｒ、青画素３０Ｂの電圧無印加時及び黒電圧印加時の透過率のセル厚依存性を示す図である。なお、図１２から図１４において、左の縦軸は電圧無印加時の透過率に対応し、右の縦軸は黒電圧印加時の透過率に対応している。【０１９８】
（緑画素のセル厚）
まず、図１２に基づいて、緑画素３０Ｇのセル厚について説明する。緑画素３０Ｇのセル厚設定手法は、前記実施の形態２と同様である。【０１９９】
すなわち、図１５に示すとおり、本実施の形態の液晶表示装置１では、緑画素３０Ｇについて、電圧無印加時の透過率が最小又は極小になるセル厚と、黒電圧印加時の透過率が最小又は極小になるセル厚とが一致するにように、光学補償フィルム（第１光学補償フィルム４１・第２光学補償フィルム）を設計している。具体的には、上記セル厚は、７．２μｍに設定されている。【０２００】
そして、上述の通り、電圧無印加時の透過率が最小又は極小になるセル厚と、黒電圧印加時の透過率が最小又は極小になるセル厚とが一致するので、セル厚７．２μｍで黒電圧印加時の透過率の最小又は極小になっている。【０２０１】
（赤画素のセル厚）
つぎに、図１３に基づいて、赤画素３０Ｒのセル厚について説明する。図１３に示すように赤画素３０Ｒについて、電圧無印加時の透過率が極小となるセル厚は、およそ８．４μｍである。【０２０２】
これに対して黒電圧印加時の透過率が極小となるセル厚は７．５μｍであり、セル厚が７．５μｍから離れると、黒電圧印加時の透過率が大きくなる。【０２０３】
これは、赤画素３０Ｒに関しては、前記緑画素３０Ｇとは異なり、電圧無印加時の透過率が最小又は極小になるセル厚と、黒電圧印加時の透過率が最小又は極小になるセル厚とが一致していないためである。【０２０４】
そして、黒電圧印加時の透過率が大きくなると、黒表示において白浮きが生じ、コントラストが低下する。【０２０５】
そこで、本実施の形態の液晶表示装置１では、赤画素３０Ｒ、緑画素３０Ｇ、青画素３０Ｂの３色の画素を同じ電圧で駆動した場合であっても、前記白浮きが低減されるように、セル厚を設定している。【０２０６】
具体的には、シングルギャップ構成における黒電圧印加時の赤画素３０Ｒの透過率と同じ又はそれ以下の透過率を確保しながら、電圧無印加時の透過率を前記シングルギャップ構成における透過率よりも低くする設計とする。【０２０７】
図１３に基づいて説明すると、まず、黒電圧印加時の透過率は、上述の通り、７．５μｍで極小となるが、黒電圧印加時の透過率は、セル厚が前記７．５μｍから離れるにしたがって、セル厚が減少する方向でもセル厚が増加する方向でも、ほぼ同割合で増加している。すなわち、セル厚と黒電圧印加時の透過率との関係を示すグラフは、セル厚７．５μｍを中心として、ほぼ線対称の形を有している。【０２０８】
したがって、例えば緑画素３０Ｇに対して最適化されたセル厚７．２μｍのシングルギャップ構成における黒電圧印加時の透過率と同じ又はそれ以下の透過率を得るためには、セル厚は、７．５μｍを中心として、７．２μｍから、７．２μｍと対称なセル厚すなわち７．８μｍの範囲内であることが望ましい。【０２０９】
他方、電圧無印加時の透過率は、上述の通り、セル厚８．４μｍで極小値をとり、セル厚が８．４μｍから離れるにしたがって上昇していく。【０２１０】
したがって、前記黒電圧印加時の透過率に関して望ましいセル厚の範囲である７．２μｍから７．８μｍの範囲では、セル厚が増加するにしたがって、電圧無印加時の透過率は減少する。【０２１１】
よって、黒電圧印加時の透過率と電圧無印加時の透過率とをいずれも低い値にするとの観点からは、赤画素３０Ｒのセル厚は、前記電圧無印加時の透過率が極小値となる８．４μｍ以下で、かつその値に近い７．８μｍが適当であるといえる。【０２１２】
（青画素のセル厚）
つぎに、図１４に基づいて、青画素３０Ｂのセル厚について説明する。青画素３０Ｂに対するセル厚設定の考え方は、前記赤画素３０Ｒに対するセル厚設定の考え方とほぼ同様である。以下、前記赤画素３０Ｒの場合と異なる部分を中心に説明する。【０２１３】
まず、図１４に示すように青画素３０Ｂについて、電圧無印加時の透過率が極小となるセル厚は、およそ６．５μｍである。【０２１４】
これに対して黒電圧印加時の透過率が極小となるセル厚は７．０μｍであり、セル厚が７．０μｍから離れると、黒電圧印加時の透過率が大きくなる。【０２１５】
これは、青画素３０Ｂに関しては、前記赤画素３０Ｒと同様に、電圧無印加時の透過率が最小又は極小になるセル厚と、黒電圧印加時の透過率が最小又は極小になるセル厚とが一致していないためである。【０２１６】
そして、黒電圧印加時の透過率が大きくなると、黒表示において白浮きが生じ、コントラストが低下する。【０２１７】
そこで、シングルギャップ構成における黒電圧印加時の青画素３０Ｂの透過率と同じ又はそれ以下の透過率を確保しながら、電圧無印加時の透過率をシングルギャップ構成における透過率よりも低くする設計とする。【０２１８】
図１４に基づいて説明すると、まず、黒電圧印加時の透過率は、上述の通り、７．０μｍで極小となるが、セル厚と黒電圧印加時の透過率との関係を示すグラフは、セル厚７．０μｍを中心として、ほぼ線対称の形を有している。【０２１９】
したがって、例えば緑画素３０Ｇに対して最適化されたセル厚７．２μｍのシングルギャップ構成における黒電圧印加時の透過率と同じ又はそれ以下の透過率を得るためには、セル厚は、７．０μｍを中心として、７．２μｍから、７．２μｍと対称なセル厚すなわち６．８μｍの範囲内であることが望ましい。【０２２０】
他方、電圧無印加時の透過率は、上述の通り、セル厚６．５μｍで極小値をとり、セル厚が６．５μｍから離れるにしたがって上昇していく。【０２２１】
したがって、前記黒電圧印加時の透過率に関して望ましいセル厚の範囲である６．８μｍから７．２μｍの範囲では、セル厚が増加するにしたがって、電圧無印加時の透過率が増加する。【０２２２】
よって、黒電圧印加時の透過率と電圧無印加時の透過率とをいずれも低い値にするとの観点からは、青画素３０Ｂのセル厚は、電圧無印加時の透過率が極小値となるセル厚６．５μｍ以上で、かつその値に近い６．８μｍが適当であるといえる。【０２２３】
（光学特性）
つぎに、各色の画素３０のセル厚を上述の通り設定した液晶表示装置１の光学特性について、図１５に基づいて説明する。【０２２４】
図１５は、赤画素３０Ｒのセル厚が７．８μｍ、緑画素３０Ｇのセル厚が７．２μｍ、青画素３０Ｂのセル厚が６．８μｍの液晶表示装置１について、各々の色に関して、印加電圧と透過率との関係を示す図である。【０２２５】
図１５に示すように、本実施の形態の液晶表示装置１では、黒電圧印加時の透過率が低いので、コントラストを、シングルギャップ構成を有する液晶表示装置（セル厚が赤画素、緑画素、青画素で同じ場合）とほぼ同様に保つことができる。【０２２６】
さらに、本実施の形態の液晶表示装置１では、シングルギャップ構成を有する液晶表示装置に比べ、電圧が印加されていないときの透過率を小さくすることができた。したがって、不良画素が表示上目立つことを抑制することができた。【０２２７】
（他の構成）
なお、本発明は、前記の実施の形態に限定されるものではなく、本発明の範囲内で種々の変更が可能である。【０２２８】
例えば、上記図１３に示す例においては、赤画素３０Ｒについてはコントラストを維持するセル厚（黒電圧印加時の透過率が所望の低さとなるセル厚）が、電圧を印加しないとき（電圧無印加時）に透過率が最小になるセル厚より小さく、かつ、黒電圧印加時の透過率が所望の低さとなるセル厚が、緑画素３０Ｇのセル厚等の基準セル厚より大きかった。【０２２９】
これに対して、黒電圧印加時の透過率が所望の低さとなるセル厚が、上記説明の場合とは反対に、緑画素３０Ｇのセル厚等の基準セル厚より小さい範囲にある場合には、セル厚を黒電圧印加時に透過率が最低になる値に設定すればよい。【０２３０】
また、青画素３０Ｂについても同様のことが考えられる。すなわち、上記図１４に示す例においては、青画素３０Ｂについてはコントラストを維持するセル厚（黒電圧印加時の透過率が所望の低さとなるセル厚）が、電圧を印加しないとき（電圧無印加時）に透過率が最小になるセル厚より大きく、かつ、黒電圧印加時の透過率が所望の低さとなるセル厚が、緑画素３０Ｇのセル厚等の基準セル厚より小さかった。【０２３１】
これに対して、黒電圧印加時の透過率が所望の低さとなるセル厚が、上記説明の場合とは反対に、緑画素３０Ｇのセル厚等の基準セル厚より大きい範囲にある場合には、セル厚を黒電圧印加時に透過率が最低になる値に設定すればよい。【０２３２】
本発明は前記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０２３３】
本発明の液晶表示装置は、不良画素が表示上目立ちにくいので、画素数の多い大画面、光精細液晶表示装置において、好適に利用可能である。
【図１】
2009004869.tif 000003
【図２】
2009004869.tif 000004
【図３】
2009004869.tif 000005
【図４】
2009004869.tif 000006
【図５】
2009004869.tif 000007
【図６】
2009004869.tif 000008
【図７】
2009004869.tif 000009
【図８】
2009004869.tif 000010
【図９】
2009004869.tif 000011
【図１０】
2009004869.tif 000012
【図１１】
2009004869.tif 000013
【図１２】
2009004869.tif 000014
【図１３】
2009004869.tif 000015
【図１４】
2009004869.tif 000016
【図１５】
2009004869.tif 000017
【図１６】
2009004869.tif 000018
【図１７】
2009004869.tif 000019
【図１８】
2009004869.tif 000020
【図１９】
2009004869.tif 000021
【国際調査報告】
2009004869.tif 000022
2009004869.tif 000023
2009004869.tif 000024
2009004869.tif 000025